(57)【特許請求の範囲】
【請求項１】
パイプ１０にシート１２を固定するシート固定具であって、
遊嵌部４とシート保持部５とを含むと共に一部が開口する開口部１５とを有する略Ｃ字形状の円環部２と、
前記開口部１５に設けられるガイド部３と、
前記開口部１５の中心から前記円環部２の穴部１６の中心を通り、その延長上の前記円環部２の外周縁部から前記シート保持部５側へシフトした位置に取り付けられる取手６とから成り、
前記ガイド部３は、前記パイプ１０を前記穴部１６へ挿通し易くするために前記開口部１５の内側から外側に向かって徐々に広がる形状を有し、
前記遊嵌部４は、前記取手６から前記ガイド部３までの円周が長尺となる側の前記円環部２の一部であり、
前記シート保持部５は、前記取手６から前記ガイド部３までの円周が短尺となる側の前記円環部２の一部であり、
前記遊嵌部４は、前記穴部１６の形状を略楕円形とし、
前記シート保持部５は、前記シート１２の荷重を受ける係止部であり、
水平の前記パイプ１０へ使用する際には、前記シート１２の自重により前記シート保持部５が下方になり、前記遊嵌部４が上方で前記パイプ１０と接触し、前記開口部１５は上方へは向かず、
垂直の前記パイプ１０へ使用する際には、前記パイプ１０を挟んで前記シート１２の自重により前記シート保持部５が下方になり、前記遊嵌部４が上方となり、前記遊嵌部４と前記パイプ１０の接触部及び前記シート保持部５と前記パイプ１０の接触部との間で前記パイプ１０を挟持し、前記シート１２を保持することを特徴とする足場シート固定具１
【請求項２】
前記円環部２に、２つの突起があることを特徴とする請求項１に記載の足場シート固定具１。
【請求項３】
前記遊嵌部４は、摩擦力が強い構造であることを特徴とする請求項１又は請求項２に記載の足場シート固定具１。
【請求項４】
前記円環部２の中心を挟んで対向する位置が前記遊嵌部４でない部分にシート移動規制部９を持ち、該シート移動規制部９の厚さが、他の部分よりも厚いことを特徴とする請求項１から請求項３のいずれかに記載の足場シート固定具１。
【請求項５】
前記遊嵌部４の端部は、前記パイプ１０を排出しやすい曲面構造であることを特徴とする請求項１から請求項４のいずれかに記載の足場シート固定具１。
【発明の詳細な説明】
【技術分野】
【０００１】
本発明は、工事現場での足場にシートを固定するための固定具に関し、詳しくは、建物構造物の解体工事の際などにおいて、粉じん等の飛散防止のために、パイプで組んだ足場等へ容易にシートを固定でき、且つ、該シートが風等での揺れなどでは簡単にシートが外れることがなく、建築現場における作業効率を向上させることを可能にする、足場固定シート固定具に関する。
【背景技術】
【０００２】
建築現場において、建築する建物の周囲を囲むように足場が組まれ、工具や資材などが落下、飛散しないように足場をシートで覆うことが一般的である。シートは、足場のパイプに、紐などで固定される。シートは、所定の間隔でパイプに固定しなければならない。シートをパイプに紐で固定する作業は、何十回行わなければならず、極めて迂遠である。
また、フックなどでパイプに引っ掛ける固定具もあるが、単に引っ掛けるだけであると、風などでシートが揺れた場合に、簡単にフックが外れることもある。
そのため、シートをパイプに容易に固定でき、且つ、シートの揺れなどでは、簡単にシートが外れない構造の固定具が求められていた。
【０００３】
養生シートと枠組足場に養生シートを張設する際に用いられる締結具（特許文献１参照）が提案され、公知技術となっている。より詳しくは、現場で生じる養生シートと枠組足場の銅管との距離の不揃いに対処できる構造であり、締結具本体２を紐部材で構成し、この締結具本体２の両端部にワンタッチで着脱自在の連結具３を設けたものである。円形の締結具であるので、シートの揺れなどで、シートが外れることはない構造ではあるが、円の一部を分断し、シートの孔に通し、その後、パイプに通した後、円を閉じる作業が必要であることから、締結作業は煩雑であり、前記問題の解決には至っていない。
【０００４】
また、高さの異なる緊結ホルダーに取り付けても常に同じ水平線上にフック部を配置させることができる防護シート用支持金具（特許文献２参照）が提案され、公知技術となっている。より詳しくは、水平方向の高さ位置の異なる第１及び第２の緊結ホルダー１０２，１０３からなる緊結ポジション１０１を有する支柱の当該緊結ホルダー１０２，１０３に装着する防護シート用支持金具１において、第１の緊結ホルダー１０２に同支持金具１の金具本体２を嵌挿させた場合には下側の第１のフック部１１ａに防護シート側の鳩目を挿通させる。一方、第２の緊結ホルダー１０３に金具本体２を嵌挿させた場合には回動プレート９を上下反転させて上側の第２のフック部１１ｂを下側に移動させて防護シート側の鳩目を挿通させる構造である。シートを取り付けるフックの位置を常に一定の高さにすることが出来るので、シート固定作業を円滑に行うことができる。しかしながら、フックは、単なる円弧状であり、シートが風などで揺れた際に外れることを防止できない。そのため、前記問題の解決には至っていない。
【０００５】
また、楔係止のための係止孔や係止用ポケット部を利用してフック部を有する係止具も、クランプのような締付抱持作業を一切要せず、足場構築のための楔と同様に既存の係止孔やポケット部に上方から挿入係止することでフック部を仮設足場に設けることができることとなる画期的な仮設足場用係止具（特許文献３参照）が提案され、公知技術となっている。より詳しくは、仮設足場Ａに垂下張設する防護シート若しくは防護ネットＢ又は落下防止シート若しくは落下防止ネットを引っ掛け係止するフック部１を設けた基体２に、仮設足場Ａの支柱３に交差配設する仮設パイプ４に設けた楔５を挿入係止する前記支柱３の周囲に設けた係止孔６又は係止用ポケット部６’に挿入係止する係止固定部７を設けた仮設足場用係止具である。シート固定具を容易にパイプに固定できる構造であるが、通常のフック構造であることから、シートが風などで揺れた際に外れることを防止できない。そのため、前記問題の解決には至っていない。
【０００６】
本発明者はそれらの問題を解決しようと、円弧状のシート固定具のシート保持部の構造に着目し、「足場シート固定具」の提案に至るものである。
【先行技術文献】
【特許文献】
【０００７】
【特許文献１】特開２０１０−１８９８８３
【特許文献２】特開２００８−２６１１２７
【特許文献３】特開２００２−７０３１６
【発明の概要】
【発明が解決しようとする課題】
【０００８】
本発明は、シートをパイプに固定することが迂遠であること、また、シートの揺れなどで簡単にシートが外れるという問題点に鑑み、円弧状のシート固定具のシート保持部の構造によって解決する手段を提供するものである。
【課題を解決するための手段】
【０００９】
本発明に係る足場シート固定具は、パイプ１０にシート１２を固定するシート固定具であって、遊嵌部４とシート保持部５とを含と共に一部が開口する開口部１５とを有する略Ｃ字形状の円環部２と、前記開口部１５に設けられるガイド部３と、前記開口部１５の中心から前記円環部２の前記穴部１６の中心を通り、その延長上の前記円環部２外周縁部からシート保持部５側へシフトした位置に取り付けられる取手６とから成り、前記ガイド部３は、前記パイプ１０を前記穴部１６へ挿通し易くするために前記開口部１５の内側から外側に向かって徐々に広がる形状を有し、前記遊嵌部４は、前記取手６から前記ガイド部３までの円周が長尺となる側の前記円環部２の一部であり、前記シート保持部５は、前記取手６から前記ガイド部３までの円周が短尺となる側の前記円環部２の一部であり、前記遊嵌部４は、前記穴部１６の形状を略楕円形とし、前記シート保持部５は、前記シート１２の荷重を受ける係止部であり、水平の前記パイプ１０へ使用する際には、前記シート１２の自重により前記シート保持部５が下方になり、前記遊嵌部４が上方で前記パイプ１０と接触し、前記開口部１５は上方へは向かず、垂直の前記パイプ１０へ使用する際には、前記パイプ１０を挟んで前記シート１２の自重により前記シート保持部５が下方になり、前記遊嵌部４が上方となり、前記遊嵌部４と前記パイプ１０の接触部及び前記シート保持部５と前記パイプ１０の接触部との間で前記パイプ１０を挟持し、前記シート１２を保持することを手段とする。
【００１０】
また、本発明は、前記シート保持部は、前記円環部の中心を挟んで対向する位置が遊嵌部であることを手段とすることもできる。
【００１１】
また、本発明は、前記円環部は、楕円であり、楕円の長辺方向は、遊嵌部であることを手段とすることもできる。
【００１２】
また、本発明は、前記遊嵌部には、２つの突起があり、前記円環部の中心を挟んで対向する位置が遊嵌部であることを手段とする。
【００１３】
また、本発明は、前記遊嵌部は、摩擦力が強い構造であることを手段とする。
【００１４】
また、本発明は、前記円環部の中心を挟んで対向する位置が遊嵌部でない部分にシート移動規制部を持ち、該シート移動規制部の厚さが、他の部分よりも厚いことを手段とする。
【００１５】
また、本発明は、前記遊嵌部の端部は、パイプを排出しやすい曲面構造であることを手段とする。
【発明の効果】
【００１６】
本発明に係る足場シート固定具によれば、シートをパイプに容易に固定でき、且つ、シートの揺れなどでは簡単にシートが外れないことから、建築現場での作業効率を向上させることが出来るものである。
【図面の簡単な説明】
【００１７】
【図１】本発明に係る足場シート固定具の構造及び使用例を示す図である。
【図２】本発明に係る足場シート固定具のパイプ嵌めこみが容易であることを説明する図である。
【図３】本発明に係る足場シート固定具の楕円構造の例を示す図である。
【図４】本発明に係る足場シート固定具の２つの突起構造の例を示す図である。
【図５】本発明に係る足場シート固定具の縦パイプへの固定例を示す図である。
【図６】本発明に係る足場シート固定具の円弧の幅を変えた例を示す図である。
【図７】本発明に係る足場シート固定具のパイプの排出が容易であることを説明する図である。
【図８】本発明に係る足場シート固定具のシートを挿通しやすい端部構造を説明する図である。
【発明を実施するための形態】
【００１８】
本発明である足場シート固定具は、パイプへの固定具の取付けの煩雑さを解消できることを最大の特徴とする。以下、実施例を図面に基づいて説明する。
なお、本実施例で示される足場シート固定具の全体形状及び各部の形状は、下記に述べる実施例に限定されるものではなく、本発明の技術的思想の範囲内、即ち、同一の作用効果を発揮できる形状及び寸法の範囲内で変更することができるものである。
（実施例１）
【００１９】
図１から図２に従って、本発明を説明する。図１は、本発明に係る足場シート固定具の構造及び使用例を示す図である。図２は、本発明に係る足場シート固定具のパイプ嵌めこみが容易であることを説明する図である。図１（ａ）は、本発明の全体図であり、図１（ｂ）は、本発明の実施の状態を表す図である。図２（ａ）は、本発明におけるパイプを遊嵌する動作の図である、図２（ｂ）から図（ｄ）は、本発明の構成を用いない場合の不具合を説明する図である。
足場シート固定具１は、円環部２とガイド部３とから構成されている。足場シート固定具１は、概ね、円環状であり、その一部が欠落しており、アルファベットのＣの字に近い形状である。建築足場構造でのパイプにシートを固定する固定具である。全体が一体成型であり、樹脂で構成されている。弾力を持ち、ある程度の変形、形状復帰が可能である。材質は、プラスチックなどの均一な材質でもいいし、芯材として、金属を埋め込む形状でもよい。芯材を用いることで、より強度を高めることができる。
大きさは、足場用のパイプを足場シート固定具１の内側に遊嵌できる程度の大きさである。足場用のパイプは径４８ｍｍ、４２ｍｍ程度のものが一般的であるので、それよりも足場シート固定具１の内径が若干大きく、円環部２の厚さは１ｃｍ程度である。
【００２０】
円環部２は、足場シート固定具１のほとんどの部分を占めるものであり、穴部１６を有する円環状であり、その一部が欠落した開口部１５を有し、アルファベットのＣの字に近い形状である。円環部２の内側である遊嵌部４によって、パイプを緩やかに嵌める。また、シート保持部５を持ち、シートが脱落しないように保持する。また、取手６を外側に配置している。取手６は、足場シート固定具１をパイプ１０に嵌める際や、パイプ１０から外す際に用いることもある。また、シートの移動を規制する機能も持つ場合もある。円環部２の端部の両方には、ガイド部３が配置されている。
【００２１】
ガイド部３は、足場シート固定具１をパイプ１０に嵌める際に、スムーズに作業が完了するための構造である。ガイド部３は、円環部２の端部にあり、円環部２の外側方向に突出しており、ガイド部３の互いに対向する面が、円環部２の内側から外側方向に徐々に広がる曲面であるガイド面３０１を形成している。このガイド面を持つことによって、足場シート固定具１をパイプ１０に押し付けるのみで、円環部２の端部が開き、容易にパイプ１０を遊嵌部４によって遊嵌することが出来る。
【００２２】
図１（ｂ）に、パイプ１０を遊嵌し、シート１２を保持した状態の図を示す。足場シート固定具１は、パイプ１０を円環部２の遊嵌部４に遊嵌している。挟持していないので、円環部２の径とパイプ１０の径は、厳密に合わせる必要は無い。パイプ１０の径は、φ４８．６ｍｍ、４２ｍｍのものが主流であるので、円環部２の内径は４８．６ｍｍよりも大きく、円環部２の欠け部分である開口部の寸法は４２ｍｍ以下であることが望ましい。円環部２の下部分には、シート１２がシートリング１１経由で、円環部２の小円部分に挿通されている。シート１２には孔があり、そこにハトメがある場合もあるし、この図のようにシートリング１１を介して足場シート固定具１に支持される場合もある。ハトメ自体を足場シート固定具１に挿通してもよい。この構造によって、紐で結ぶことなく、シート１２をパイプ１０に固定することが出来る。
【００２３】
次に、ガイド部３の動作について、説明する。パイプ１０に足場シート固定具１を押し付けると、ガイド部３のガイド面３０１がパイプ１０に当接する。ガイド面３０１は、円環部２を開く方向に曲面が形成されているので、足場シート固定具１のガイド部３は、図２（ａ）の矢印のように、円環部２の開口部が開き、パイプ１０は、容易に円環部２の遊嵌部４に嵌ることが出来る。その際、取手６をもって、作業することによって、より容易にパイプ１０を嵌めることができる。
もし、ガイド部３が無いと、図２（ｂ）に示すように、パイプ１０に固定具１３を押し当てても、円環部２の端部が開かず、作業が面倒となってしまう。
【００２４】
このように、円環部２の端部にガイド部３を持つことによって、パイプ１０とシート１２を容易に固定することが出来る。
（実施例２）
【００２５】
他の実施例について図２、図３を用いて説明する。実施例１と同様の部分は省略する。図３は、本発明に係る足場シート固定具の楕円構造の例を示す図である。図３（ａ）は、実施例２の足場シート固定具１の全体図である。図３（ｂ）は、本発明の実施の状態を表す図である。図３（ｃ）、図３（ｄ）は、本発明のバリエーションを示す図である。
【００２６】
実施例１の構成によって、容易にパイプ１０にシート１２を固定することが出来るが、固定後、風などによって、固定具やシート１２が揺れ、固定の状態が変化することがある。図２（ｃ）、図２（ｄ）に沿って説明する。図２（ｃ）のように、固定具でパイプ１０とシート１２を固定した後、風などで固定具が揺れると、徐々にシートの保持位置、パイプ１０と足場シート固定具１の位置がずれていき、図２（ｄ）のような状態となることがある。すると、足場シート固定具１の開口部が上を向いてしまい、シート１２の重さで足場シート固定具１がパイプ１０から外れてしまうことになる。
そのため、足場シート固定具１がずれても、足場シート固定具１の開口部が上を向かない構造が求められていた。
【００２７】
図３（ａ）に示すように、足場シート固定具１の円環部２の形状は、Ｏで示すように楕円であり、楕円の長いほうである長辺方向に開口部が無く、遊嵌部４がある構造である。この構造では、遊嵌部４のパイプ１０は、足場シート固定具１とシート１２の重さによって、長辺方向に移動させられる。そのため、パイプ１０のある長辺方向に対して、対向する長辺位置にシート保持部５を配置することで、パイプ１０とシート１２の関係は、安定し、風などで、シート１２、足場シート固定具１が揺れても、足場シート固定具１がずれていくことはなく、足場シート固定具１がパイプ１０から外れることを防ぐことが出来る。
【００２８】
図３（ｂ）で、実際のパイプ１０とシート１２の位置関係を説明する。パイプ１０は、楕円の遊嵌部４に遊嵌されているが、足場シート固定具１、シート１２の重さによって、楕円の長辺方向に移動する。紙面では上方向である。シート保持部５は、同じく楕円の長辺方向であるので、パイプ１０とシート１２は、一方の長辺方向と他方の長辺方向で引き合うことになり、足場シート固定具１とパイプ１０とシート１２の位置関係は、図３（ｂ）に示すように安定する。
【００２９】
また、シート保持部５でのシート１２、シートリング１１の保持をより安定させるために、図３（ｃ）に示すように、シート保持部５に凹部５０１を形成してもよい。また、図３（ｄ）に示すように、シート保持部５に凸部５０２を形成してもよい。こうすることによって、シート保持部５は、シート１２、シートリング１１の揺れに対して、より安定して保持することが出来る。
（実施例３）
【００３０】
他の実施例について図４を用いて説明する。実施例１と同様の部分は省略する。図４は、本発明に係る足場シート固定具の突起構造の例を示す図である。図４（ａ）は、実施例３の足場シート固定具１の全体図である。図４（ｂ）は、本発明の実施の状態を表す図である。図４（ｃ）、図３（ｄ）は、本発明のバリエーションを示す図である。
【００３１】
実施例２と同様に課題に対して、他の構造が考えられる。
図４（ａ）に示すように、足場シート固定具１の円環部２の一部に、２つの突起部７を配置し、その対向する位置をシート保持部５とするものである。この構造では、シート保持部５の位置から、まず、遊嵌部４のパイプ１０が、２つの突起部７に当接する位置に移動する。すると、足場シート固定具１はパイプ１０に対して、２つの突起部７で当接することになる。そのため、風などでシート１２が揺れても、足場シート固定具１が揺れたり、ずれることがない。そのため、足場シート固定具１の開口部が上を向いてしまうことはなく、足場シート固定具１がパイプ１０から外れることを防ぐことが出来る。
【００３２】
図４（ｂ）で、実際のパイプ１０とシート１２の位置関係を説明する。パイプ１０は、楕円の遊嵌部４に遊嵌されているが、足場シート固定具１、シート１２の重さによって、２つの突起部７の方向に移動する。紙面では上方向である。シート保持部５は、突起部７に対向する位置であるので、パイプ１０とシート１２は、円環部２の対向方向で引き合うことになる。パイプ１０は、２つの突起部７に当接する状態で安定するので、足場シート固定具１とパイプ１０とシート１２の位置関係は、図４（ｂ）に示すように安定する。
【００３３】
また、シート保持部５でのシート１２、シートリング１１の保持をより安定させるために、図４（ｃ）に示すように、シート保持部５に凹部５０１を形成してもよい。また、図４（ｄ）に示すように、シート保持部５に凸部５０２を形成してもよい。こうすることによって、シート保持部５は、シート１２、シートリング１１の揺れに対して、より安定して保持することが出来る。
（実施例４）
【００３４】
他の実施例について図５を用いて説明する。実施例１と同様の部分は省略する。
図５は本発明に係る足場シート固定具の縦パイプへの固定例を示す図である。図５（ａ）は、本発明の全体図であり、図５（ｂ）は、Ａ−Ａ断面図である。図５（ｃ）は、本発明の実施の状態を表す図である。
【００３５】
足場をシートで覆う際に、縦配置のパイプへのシートの固定も必要である。そのため、縦配置のパイプに固定しても、安定してシートを保持できる構造が求められていた。
図５（ａ）に示すように、足場シート固定具１の円環部２は、楕円状である。遊嵌部４は、内側中央が盛り上がった２つの傾斜面８からなる。傾斜面８は、摩擦力が高い表面構造である。例えば、表面に細かな凹凸があってもよい。足場シート固定具１が縦置きのパイプ１０に嵌めた場合に、図５（ｃ）のように斜めに配置される。そうすると、遊嵌部４の両端部分で、パイプ１０を挟持ことになり、安定して、シート１２を固定することが出来る。
図では、傾斜面８の例を示しているが、断面が円形であっても、パイプ１０に対して足場シート固定具１が十分安定して固定できる摩擦力があればよい。
このような構造を持つことで、縦型のパイプに対してもシート１２を固定することが出来る。
（実施例５）
【００３６】
他の実施例について図６を用いて説明する。実施例１と同様の部分は省略する。
図６は本発明に係る足場シート固定具の円環の幅を変えた例を示す図である。図６（ａ）は、本発明の全体図であり、図５（ｂ）は、本発明の実施の状態を表す図である。
【００３７】
実施例２と同様に課題に対して、他の構造が考えられる。
図６（ａ）に示すように、シート保持部５の位置にシート１２、シートリング１１がある場合に、風などでシート１２、シートリング１１の位置がずれていく場合に、シート１２の位置が、円環部２の開口部と対向する位置にずれてしまうと、図２（ｄ）のように、開口部が上を向いてしまい、足場シート固定具１がパイプ１０から外れてしまうことになる。そこで、シート１２シートリング１１のずれる位置をシート移動規制部９によって規制することで、足場シート固定具１がパイプ１０から外れてしまうことを防ぐものである。円環部２の中心を挟んで対向する位置が遊嵌部４でない部分にシート移動規制部９を持ち、シート移動規制部９の厚さが、他の部分よりも厚くするものである。図６（ａ）に示すように、帯状にシート移動規制部９を配置する。こうすることで、シートリング１１は、シート移動規制部９の配置された位置に移動することが出来ない。そのため、足場シート固定具１がパイプ１０から外れてしまうことを防ぐことが出来る。
（実施例６）
【００３８】
他の実施例について図７を用いて説明する。実施例１と同様の部分は省略する。
図７は本発明に係る足場シート固定具のパイプの排出が容易であることを説明する図である。図７（ａ）は、本発明の全体図であり、図７（ｂ）は、本発明の実施の状態を表す図である。足場シート固定具１にパイプ１０を嵌めた後、作業終了時に、パイプ１０から足場シート固定具１を外す必要がある。その際、容易に、外すことが出来るように、円環部２の端部２０１に曲面をつける。この構造によって、パイプ１０は、容易に足場シート固定具１から外すことができる。
（実施例７）
【００３９】
他の実施例について図８を用いて説明する。実施例１と同様の部分は省略する。
図８は本発明に係る足場シート固定具のシートを挿通しやすい端部構造を説明する図である。図８（ａ）は、本発明の全体図であり、図８（ｂ）は、本発明の実施の状態を表す図である。
ガイド部３があることによって、パイプ１０に足場シート固定具１を容易に嵌めることが出来るが、シート１２、シートリング１１を円環部２に挿通しようとした場合に、逆に邪魔になる場合もある。そこで、ガイド部３が配置されながら、シート１２シートリング１１を挿通しやすい形状として、ガイド部３の端部にシートガイド部１４を配置する。シートガイド部１４は、先端が細くなった形状であり、シート１２、シートリング１１を円環部２に通すことがより容易になる。また、ガイド部３のガイド面３０１は、そのままにシートガイド部１４を配置できるので、パイプ１０を容易に嵌めやすく、且つ、シート１２も容易に足場シート固定具１に通しやすくすることが出来る。
このように、足場シートの固定の作業性を格段に向上させることが出来る。
【産業上の利用可能性】
【００４０】
本発明に係る足場シート固定具は、足場のパイプへのシート固定技術についての産業上の利用可能性は大きいと解する。
【符号の説明】
【００４１】
１      足場シート固定具
２      円環部
３      ガイド部
４      遊嵌部
５      シート保持部
６      取手
７      突起部
８      傾斜面
９      シート移動規制部
１０    パイプ
１１    シートリング
１２    シート
１３    固定具
１４    シートガイド部
１５    開口部
１６    穴部
３０１  ガイド面
５０１  凹部
５０２  凸部
Ｏ      楕円
【要約】
【課題】シートをパイプに容易に固定でき、且つ、シートの揺れなどでは、簡単にシートが外れない構造の足場シート固定具。
【解決手段】一部に開口部を有する欠けた円環状である円環部とガイド部からなり、該円環部は内側にパイプを遊嵌する遊嵌部を持ち、該円環部の欠けた両端部に、パイプを該遊嵌部に挿入するためのガイド部を持ち、該ガイド部は、円環部の外側方向に突出し、該ガイド部の互いに対向する面が、該円環部の内側から外側方向に徐々に広がる曲面であり、該円環部は、シートの一部を前記円環部の小円に挿通し保持するシート保持部を持つ構造。
【選択図】図１【図１】
0005908639.tif 000002
【図２】
0005908639.tif 000003
【図３】
0005908639.tif 000004
【図４】
0005908639.tif 000005
【図５】
0005908639.tif 000006
【図６】
0005908639.tif 000007
【図７】
0005908639.tif 000008
【図８】
0005908639.tif 000009